(57)【要約】【課題】追記型の記録媒体であっても、印刷設定情報及び画像データを印刷装置に送信し、印刷を実行することを課題とする。【解決手段】記録媒体に記録されている画像データの印刷設定情報を生成する生成手段と、生成された印刷設定情報を記憶するメモリと、記録媒体に記録されている画像データとメモリに記憶された印刷設定情報とを印刷装置に送信する送信手段とを有する画像処理装置が提供される。【選択図】図９
2007094583.tif 000002
【特許請求の範囲】
【請求項１】
記録媒体に記録されている画像データの印刷設定情報を生成する生成手段と、
前記生成された印刷設定情報を記憶するメモリと、
前記記録媒体に記録されている画像データと前記メモリに記憶された印刷設定情報とを印刷装置に送信する送信手段と
を有することを特徴とする画像処理装置。
【請求項２】
さらに、前記記録媒体の排出要求に応じて前記メモリに記憶された印刷設定情報を消去する消去手段を有することを特徴とする請求項１記載の画像処理装置。
【請求項３】
さらに、前記記録媒体の排出要求がされると、前記メモリに記憶された印刷設定情報を前記記録媒体に記録する印刷設定情報記録手段を有し、
前記消去手段は、前記印刷設定情報記録手段の記録後に消去することを特徴とする請求項２記載の画像処理装置。
【請求項４】
前記印刷設定情報記録手段は、前記記録媒体が追記型のときには、前記記録媒体の排出要求がされると、前記記録媒体がファイナライズ済みか否かを判定し、ファイナライズ済みでないときには、前記メモリに記憶された印刷設定情報を前記記録媒体に記録することを特徴とする請求項３記載の画像処理装置。
【請求項５】
前記印刷設定情報記録手段は、前記記録媒体がファイナライズ済みであるときには前記メモリに記憶された印刷設定情報を前記記録媒体に記録しないことを特徴とする請求項４記載の画像処理装置。
【請求項６】
前記印刷設定情報記録手段は、前記記録媒体が書き換え可能であるときには、前記記録媒体の排出要求がされると、前記メモリに記憶された印刷設定情報を前記記録媒体に記録することを特徴とする請求項５記載の画像処理装置。
【請求項７】
前記送信手段は、前記メモリに印刷設定情報が記憶されていないときには、前記記録媒体に記録されている印刷設定情報を送信することを特徴とする請求項３〜６のいずれか１項に記載の画像処理装置。
【請求項８】
前記送信手段は、前記記録媒体が追記型でありかつファイナライズ済みでないときには前記記録媒体に記録されている印刷設定情報を送信し、前記記録媒体が追記型でありかつファイナライズ済みであるときには前記記録媒体に記録されている印刷設定情報を送信しないことを特徴とする請求項７記載の画像処理装置。
【請求項９】
前記印刷設定情報は、ＤＰＯＦ情報であることを特徴とする請求項１〜８のいずれか１項に記載の画像処理装置。
【請求項１０】
記録媒体に記録されている画像データの印刷設定情報を生成する生成ステップと、
前記生成された印刷設定情報をメモリに記憶する記憶ステップと、
前記記録媒体に記録されている画像データと前記メモリに記憶された印刷設定情報とを印刷装置に送信する送信ステップと
を有することを特徴とする画像処理方法。
【発明の詳細な説明】
【技術分野】
【０００１】
本発明は、画像処理装置及び方法に関する。
【背景技術】
【０００２】
従来、画像を撮影し、メモリカードなどにデジタルデータとして記録するデジタルカメラが知られている。そして、画像データの記録画素数も年々増加し、高精細な画像を撮影、記録可能となってきた。
【０００３】
そのため、デジタルカメラとプリンタとをＵＳＢケーブルなどで接続し、メモリカードに記録されている静止画ファイルをプリンタに送信して印刷することが一般に行われるようになっている。
【０００４】
また、デジタルカメラにおいては、ＤＰＯＦ（Digital Print Order Format）と呼ばれる印刷制御用の情報ファイルを作成し、メモリカードに記録する機能を持つものが登場している（例えば、特許文献１参照）。ＤＰＯＦファイルをメモリカードに記録しておけば、このメモリカードを印刷ラボなどに持ち込むだけで、自動的に指定された画像を指定した枚数だけ印刷することが可能となる。
【０００５】
また、デジタルカメラとプリンタとを接続し、ＤＰＯＦファイルを利用して自動で印刷を行う規格も登場している。
【０００６】
一方、近年、メモリカードや磁気テープに代わり、ＤＶＤなどの光ディスクに対して動画や静止画を記録するビデオカメラが登場している。例えば、ＤＶＤにおいては、ＤＶＤ−ＲＷなどの書き替え可能なディスクと、ＤＶＤ−Ｒなどの追記型ディスクとが存在する。
【０００７】
【特許文献１】特開２００３−１８９２１２号公報
【発明の開示】
【発明が解決しようとする課題】
【０００８】
前述のように、メモリカードではなく、ディスク媒体に記録した静止画像もＤＰＯＦファイルを利用して自動印刷機能を実現することが望まれる。
【０００９】
しかしながら、ＤＶＤ−Ｒの如き追記型のディスクにおいては、一度記録したデータを消去することができないため、一度ＤＰＯＦファイルを記録してしまうと、記録画像や枚数を変更することができない。
【００１０】
また、ＤＶＤ−Ｒディスクに対し、ファイナライズと呼ばれる処理を行うことで、ＤＶＤビデオプレーヤと互換性が高い再生専用ディスクに変更することができる。
【００１１】
しかしながら、ファイナライズ処理を実行してしまうと再生専用ディスクになるため、ディスクに対してＤＰＯＦファイルを記録することができなくなり、やはり、ＤＰＯＦファイルを用いた印刷機能を実現することができない。
【００１２】
本発明の目的は、ファイナライズ前の追記型記録媒体でも、印刷設定情報（ＤＰＯＦファイル）を用いた印刷機能を実行できるようにすることである。
【課題を解決するための手段】
【００１３】
本発明の画像処理装置は、記録媒体に記録されている画像データの印刷設定情報を生成する生成手段と、前記生成された印刷設定情報を記憶するメモリと、前記記録媒体に記録されている画像データと前記メモリに記憶された印刷設定情報とを印刷装置に送信する送信手段とを有することを特徴とする。
また、本発明の画像処理方法は、記録媒体に記録されている画像データの印刷設定情報を生成する生成ステップと、前記生成された印刷設定情報をメモリに記憶する記憶ステップと、前記記録媒体に記録されている画像データと前記メモリに記憶された印刷設定情報とを印刷装置に送信する送信ステップとを有することを特徴とする。
【発明の効果】
【００１４】
メモリに印刷設定情報を記憶させることにより、追記型の記録媒体であっても、印刷設定情報及び画像データを印刷装置に送信し、印刷を実行することができる。
【発明を実施するための最良の形態】
【００１５】
図１は、本発明の実施形態によるビデオカメラ（記録再生装置）の全体構成例を示す図である。１は、レンズを通して入力される画像を電気信号に変換するデバイスである撮像素子（ＣＣＤ）である。２は、電気信号に変換された画像を処理するカメラ信号処理部である。３は、静止画像データを圧縮するＪＰＥＧ部である。４は、パソコンやプリンタなどと接続し、データの送受信を行うＵＳＢインターフェースである。５は、記録媒体であるディスク１０に対して、データの記録、再生を行うディスクドライバであり、ディスク１０の装着、排出機構を持つ。６は、各ハードブロックを制御するマイコンである。７は、装置や媒体などの状態を、電源オフ時も記憶するためのバックアップＲＡＭ（ランダムアクセスメモリ）である。８は、各ハードブロックからのＤＲＡＭ９のアクセスを調停し、ＤＲＡＭデータの書込みまたは読出しを行うＤＲＡＭインターフェースである。９は、各ブロックからのデータを保持するＤＲＡＭである。１０は、静止画ファイルなどを記憶する記録媒体のディスクである。
【００１６】
図１のビデオカメラにおいて、記録時は、まずＣＣＤ１からの電気信号に変換された画像をカメラ信号処理部２で画像処理し、ＤＲＡＭインターフェース８を通して、ＤＲＡＭ９に書き込む。ＤＲＡＭ９に書き込まれた静止画像データは、ＪＰＥＧ部３により読み出され、圧縮されてＪＰＥＧデータとしてＤＲＡＭ９に書き戻される。書き戻されたＪＰＥＧデータにマイコン６によってヘッダー部分を追加され、ＥＸＩＦファイル形式でＤＲＡＭ９上に、記憶される。ＤＲＡＭ９上に展開されたＥＸＩＦファイルは、ＤＲＡＭインターフェース８経由でディスクドライバ５から読み出され、ディスク１０に記録される。
【００１７】
図１のビデオカメラにおいて、記録された画像ファイルを印刷する手段を以下に述べる。図２は、ユーザがディスク１０に記録されている画像ファイル中から印刷する画像ファイルを選択する処理を示すフローチャートである。ビデオカメラにおいて、まず、ステップ２１でユーザがディスク１０上の画像ファイルの中から、印刷する画像ファイルを選択し、プリント枚数を設定する。次に、ステップ２２で、マイコン６は、ユーザから指示されたプリントする画像ファイルと枚数をバックアップＲＡＭ７に登録する。これにより、ＤＰＯＦデータが設定される。ＤＰＯＦデータは、印刷設定情報である。
【００１８】
図３は、バックアップＲＡＭ７上のＤＰＯＦデータの内容を示す。ディスク固有の識別情報とＤＰＯＦデータを設定した登録日、プリント指定する画像ファイル名、プリント枚数が記憶されている。
【００１９】
図８は、ＤＰＯＦ設定後にディスク１０のイジェクト（ＥＪＥＣＴ：排出）要求があった場合の動作を示すフローチャートである。ステップ８１でディスク１０が、追記型のディスクか、再書込み可能なディスクであるかを判別し、再書込み可能なディスクであれば、ステップ８６の処理でバックアップＲＡＭ７の印刷設定情報をＤＰＯＦファイルとしてディスク１０に記録する。その後、ステップ８５の処理により、ディスク１０をイジェクト（ＥＪＥＣＴ）する。ステップ８１で、ディスク１０が追記型ディスクであると判断された場合は、ステップ８２でディスク１０がファイナライズ済みであるかどうかを判別する。ファイナライズ前の場合は、ステップ８３でバックアップＲＡＭ７の印刷設定情報をＤＰＯＦファイルとしてディスク１０に記録する。そして、ステップ８４にて、それをディスク１０上の管理ファイル情報に追加する。その後、ステップ８５の処理により、ディスク１０をイジェクト（ＥＪＥＣＴ）する。ステップ８５では、ディスク１０をイジェクトし、バックアップＲＡＭ７に記憶されたＤＰＯＦ情報を消去する。
【００２０】
図４は、ファイナライズ後のディスク１０のファイルエントリを示す。ステップ８２で、ファイナライズ済みの場合は、図４のようにＵＤＦのファイル管理情報およびＪＰＥＧファイル、全てが、リードイン（ＩＮ）、リードアウト（ＯＵＴ）で閉じられているため、追記できない。そこで、図８のステップ８７でディスク１０をイジェクト（ＥＪＥＣＴ）するとＤＰＯＦの設定が無効になる警告を出し、ステップ８８で再度イジェクト（ＥＪＥＣＴ）要求をユーザに確認する。イジェクト要求があれば、ステップ８５の処理により、ディスク１０をイジェクトし、バックアップＲＡＭ７に記憶されたＤＰＯＦ情報を消去する。ここで、イジェクト指示が無かった場合には、ＤＰＯＦ情報はそのままバックアップＲＡＭ７に保持されたままとなる。
【００２１】
なお、イジェクト要求があった場合に、その時点でバックアップＲＡＭ７のＤＰＯＦ情報を消去していたが、ディスクイジェクト後、新たにディスクが装着された時に消去する構成でもよい。
【００２２】
図５は、ファイナライズ前のディスク１０におけるＤＰＯＦファイルの書き込み位置を示す図である。ＤＰＯＦファイルは、ＪＰＥＧの画像ファイルの後に追記され、その後に、管理ファイル情報を登録する。管理ファイル情報は、画像およびＤＰＯＦファイルの後に記録され、最後に書かれた管理ファイル情報が有効になる。
【００２３】
図７は、この管理ファイル情報の内容を示す。管理ファイル情報の内容は 記録されているファイル数、各ファイルの属性が書かれている。各ファイルの属性としては、ファイル名、ファイルの先頭アドレス、ファイルサイズが登録されている。
【００２４】
図１０は、図１のビデオカメラ（ＤＳＣ）とプリンタとを接続して印刷する場合の、ビデオカメラとプリンタとの間のプロトコルの様子を示す図である。この様に印刷する場合の規格として、ピクトブリッジが存在する。
【００２５】
まず、ビデオカメラ及びプリンタ間にＵＳＢケーブルが接続され、ピクトブリッジ対応機器と認識されると、カメラ側からDPS_ConfigurePrintServiceをプリンタ側に送出する。このDPS_ConfigurePrintServiceで、カメラ側は、自身がストレージサーバ機能があることをプリンタ側に通知し、プリンタ側にプリントサーバ機能を要求する。カメラ側は、次に、DPS_GetCapbilityで、プリンタに設定可能な能力を問い合わせた後、DPS_StartJobを発行し、印刷開始を要求する。そのコマンドを受けたプリンタはDPS_GetFileInfoにより 印刷に必要な画像ファイルおよびサイズ等の情報を要求する。そして、カメラ側はファイル情報として File Infoを返す。プリンタ側は、そのFile Infoの中にＤＰＯＦファイルがあると、そのＤＰＯＦファイルで指定された画像ファイルを、DPS_GetFileを用いて、実際の画像データを要求する。そして、プリンタ側は、Image Fileとして、カメラ側から画像ファイルを受け取る。そして、その受け取った画像ファイルを、プリンタ側は印刷するという構成になっている。
【００２６】
図９は、本実施形態において、図１０のDPS_GetFileInfoを受信した場合のビデオカメラのＤＰＯＦファイル検索シーケンスを示すフローチャートである。図９において、ステップ１０１の処理で、バックアップＲＡＭ７にＤＰＯＦの設定情報がある場合は、ステップ１０６の処理に移行し、File InfoにＤＰＯＦファイルを登録して、プリンタ（印刷装置）に出力する。バックアップＲＡＭ７にＤＰＯＦの設定情報がない場合は、ステップ１０２でファイナライズ済みかどうかを判別し、ファイナライズ前の場合はステップ１０３で管理ファイル情報があるかどうか判別する。管理ファイル情報がない場合は、図９の処理を終了する。管理ファイル情報がある場合は、ステップ１０４でディスク１０上にＤＰＯＦファイルが存在するかどうかを判別する。ない場合は、図９の処理を終了する。ＤＰＯＦファイルがディスク１０上にある場合は、ステップ１０５の処理でＤＰＯＦファイルをディスク１０から読み出し、ＤＰＯＦファイルの内容をバックアップＲＡＭ７にコピーする。次に、ステップ１０６の処理に移行し、File InfoにＤＰＯＦファイルを登録して、プリンタ（印刷装置）に出力する。図９のステップ１０２の処理でディスク１０がファイナライズ済みの場合は、図９の処理を終了する。
【００２７】
そして、ＤＰＯＦファイルの存在を認識したプリンタは、ビデオカメラに対して、ＤＰＯＦファイルの転送を要求する。ビデオカメラは、その要求に対応して、バックアップＲＡＭ７上にあるＤＰＯＦファイルをプリンタに対して送信する。ＤＰＯＦファイルを受信したプリンタは、受け取ったＤＰＯＦファイルに登録されている画像ファイルをDPS_GetFileとして、ビデオカメラに要求する。そして、ビデオカメラは要求された画像ファイルを、ディスク１０から読み出し、Image Fileとしてプリンタに送信し、プリンタ側で必要枚数分印刷される。
【００２８】
図１０のプロトコル終了後、ビデオカメラはバックアップＲＡＭ７上のＤＰＯＦファイルを削除するとともに、ディスク１０上のＤＰＯＦファイルも削除する。
【００２９】
図６は、プリントアウト後のファイルエントリを示し、ファイナライズ前の追記型ディスクに対するＤＰＯＦファイルの削除を示す。最後に書かれた管理ファイル情報の後に、新規管理ファイル情報を追加する。追加された管理ファイル情報の内容は、ファイル登録数が「−１」され、ＤＰＯＦファイルの属性が削除されている。再書込み可能なディスクに関しては、ファイルシステムであるＵＤＦを通して、ファイル削除を行う。
【００３０】
以上で、ファイナライズ後のディスクまたはファイナライズ前のディスクにおいてもＤＰＯＦファイルを用いてピクトブリッジ経由の印刷を可能にする。
【００３１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００３２】
【図１】本発明の実施形態によるビデオカメラの全体構成例を示す図である。
【図２】ＤＰＯＦ設定を示すフローチャートである。
【図３】バックアップＲＡＭ内の定義を示す図である。
【図４】ファイナライズ後のファイルエントリを示す図である。
【図５】ファイナライズ前のＤＰＯＦ設定を示す図である。
【図６】プリントアウト後のファイルエントリを示す図である。
【図７】管理ファイル情報を示す図である。
【図８】ディスクイジェクト時のシーケンスを示すフローチャートである。
【図９】ＤＰＯＦファイル検索シーケンスを示すフローチャートである。
【図１０】USB PictBridgeプロトコルを示す図である。
【符号の説明】
【００３３】
１  ＣＣＤ
２  カメラ信号処理部
３  ＪＰＥＧ部
４  ＵＳＢインターフェース
５  ディスクドライバ
６  マイコン
７  バックアップＲＡＭ
８  ＤＲＡＭインターフェース
９  ＤＲＡＭ
１０  記録媒体
【図１】
2007094583.tif 000003
【図２】
2007094583.tif 000004
【図３】
2007094583.tif 000005
【図４】
2007094583.tif 000006
【図５】
2007094583.tif 000007
【図６】
2007094583.tif 000008
【図７】
2007094583.tif 000009
【図８】
2007094583.tif 000010
【図９】
2007094583.tif 000011
【図１０】
2007094583.tif 000012